(57)【要約】【課題】必要最低限の歯を覆うマウスピースで出っ歯を矯正することができる歯列矯正装置を提供する。【解決手段】少なくとも前歯３を覆うように設置される前歯用マウスピース２０と、前歯用マウスピース２０より口腔１内の奥側に設置される奥側係止手段３０と、前歯用マウスピース２０と奥側係止手段３０の間に介在させて、弾性力によって前歯用マウスピース２０を奥側係止手段３０の方に引っ張る引張り手段４０とを有する歯列矯正装置１０とした。前歯用マウスピース２０は、歯を覆う本体部２１と、本体部２１よりも歯茎５側に位置して引張り手段４０を係止する係止部２５とを有している。【選択図】図１
2019162368.tif 000002
【特許請求の範囲】
【請求項１】
少なくとも前歯を覆うように設置される前歯用マウスピースと、
前記前歯用マウスピースより口腔内の奥側に設置される奥側係止手段と、
前記前歯用マウスピースと前記奥側係止手段の間に介在させて、弾性力によって前記前歯用マウスピースを前記奥側係止手段の方に引っ張る引張り手段と、
を有することを特徴とする歯列矯正装置。
【請求項２】
前記前歯用マウスピースは、歯を覆う本体部と、該本体部よりも歯茎側に位置して前記引張り手段を係止する係止部と、を有していることを特徴とする請求項１に記載の歯列矯正装置。
【請求項３】
前記奥側係止手段は、少なくとも奥歯を覆い、前記前歯用マウスピースから奥側に離間して設置される奥歯用マウスピースであることを特徴とする請求項１又は２に記載の歯列矯正装置。
【請求項４】
前記奥歯用マウスピースは、左の奥歯を覆う左本体部と、右の奥歯を覆う右本体部と、前記左本体部と前記右本体部とを繋いで一体とする繋ぎ部とを有することを特徴とする請求項３に記載の歯列矯正装置。
【請求項５】
前記奥側係止手段は、前記口腔内の奥側の顎骨に設置するピン部材であることを特徴とする請求項１又は２に記載の歯列矯正装置。
【発明の詳細な説明】
【技術分野】
【０００１】
本発明は、歯並びを矯正する歯列矯正装置に関するものである。
【背景技術】
【０００２】
従来、歯並びを矯正するために歯に装着するマウスピーズが提案されている。このようなマウスピーズは、従来、上歯全体又は下歯全体を覆う形状に構成されている（例えば、特許文献１参照）。
【先行技術文献】
【特許文献】
【０００３】
【特許文献１】特開２０１２−２２３５８７号公報
【発明の概要】
【発明が解決しようとする課題】
【０００４】
しかしながら、前記した特許文献１のような従来のマウスピースでは、例えば出っ歯を矯正するような前歯の矯正を行う場合にも、歯全体を覆う形状に形成されていた。そのため、必要以上の範囲にマウスピースを装着する必要があり、利用者にとって不便が生じていた。また、矯正結果も芳しくないという問題が生じていた。
【０００５】
本発明はこのような問題に鑑みてなされたものであり、必要最低限の歯を覆うマウスピースで出っ歯を矯正することができる歯列矯正装置を提供することを課題としている。
【課題を解決するための手段】
【０００６】
かかる課題を達成するために、請求項１に記載の発明は、少なくとも前歯を覆うように設置される前歯用マウスピースと、前記前歯用マウスピースより口腔内の奥側に設置される奥側係止手段と、前記前歯用マウスピースと前記奥側係止手段の間に介在させて、弾性力によって前記前歯用マウスピースを前記奥側係止手段の方に引っ張る引張り手段と、を有する歯列矯正装置としたことを特徴とする。
【０００７】
また、請求項２に記載の発明は、請求項１に記載の構成に加え、前記前歯用マウスピースは、歯を覆う本体部と、該本体部よりも歯茎側に位置して前記引張り手段を係止する係止部と、を有している歯列矯正装置としたことを特徴とする。
【０００８】
また、請求項３に記載の発明は、請求項１又は２に記載の構成に加え、前記奥側係止手段は、少なくとも奥歯を覆い、前記前歯用マウスピースから奥側に離間して設置される奥歯用マウスピースである歯列矯正装置としたことを特徴とする。
【０００９】
また、請求項４に記載の発明は、請求項３に記載の構成に加え、前記奥歯用マウスピースは、左の奥歯を覆う左本体部と、右の奥歯を覆う右本体部と、前記左本体部と前記右本体部とを繋いで一体とする繋ぎ部とを有する歯列矯正装置としたことを特徴とする。
【００１０】
また、請求項５に記載の発明は、請求項１又は２に記載の構成に加え、前記奥側係止手段は、前記口腔内の奥側の顎骨に設置するピン部材である歯列矯正装置としたことを特徴とする。
【発明の効果】
【００１１】
請求項１に記載の発明によれば、少なくとも前歯を覆う前歯用マウスピースを、奥側係止手段と引張り手段を用いて口腔内の奥側に引っ張るようになっているため、少なくとも前歯を覆う必要最低限のマウスピースで出っ歯を矯正することができる。
【００１２】
また、請求項２に記載の発明によれば、前歯用マウスピースが、歯を覆う本体部よりも歯茎側に位置して引張り手段を係止する係止部を有しているため、確実に引張り手段を係止することができる。また、歯茎側に位置する係止部に引張り手段を係止することで、歯が回転する方向に力を加えずに前歯全体をスライド移動させることができ、出っ歯を綺麗な形で引っ張ることができる。
【００１３】
請求項３に記載の発明によれば、奥側係止手段が、前歯用マウスピースと離間して設置される奥歯用マウスピースであるため、奥歯に設置された奥歯用マウスピースを支点にして引張り手段で前歯用マウスピースを奥側に引っ張ることができ、安定した状態で出っ歯の矯正を行うことができる。
【００１４】
請求項４に記載の発明によれば、奥歯用マウスピースが左右の歯を覆う左本体部、右本体部とそれらを繋いで一体とする繋ぎ部とを有しているため、繋ぎ部を介して左右の本体部が拡がったりずれたりしないようにすることができ、奥歯の状態を変化させずに前歯の出っ歯状態を確実に矯正することができる。
【００１５】
請求項５に記載の発明によれば、奥側係止手段が、口腔内の奥側の顎骨に設置したピン部材であるため、顎骨に設置されたピン部材を支点にして引張り手段で前歯用マウスピースを奥側に引っ張ることができ、安定した状態で出っ歯の矯正を行うことができる。
【図面の簡単な説明】
【００１６】
【図１】本発明の実施の形態１に係る歯列矯正装置を上歯に設置した状態を示す斜視図である。
【図２】同実施の形態１に係る歯列矯正装置を上歯に設置した状態を示す下面視図である。
【図３】同実施の形態１に係る歯列矯正装置の前歯用マウスピースを示す斜視図である。
【図４】同実施の形態１に係る歯列矯正装置の前歯用マウスピースを示す下面視図である。
【図５】同実施の形態１に係る歯列矯正装置の奥歯用マウスピースを示す斜視図である。
【図６】同実施の形態１に係る歯列矯正装置の奥歯用マウスピースを示す下面視図である。
【図７】本発明の実施の形態２に係る歯列矯正装置を上歯に設置した状態を示す斜視図である。
【図８】同実施の形態２に係る歯列矯正装置を上歯に設置した状態を示す下面視図である。
【発明を実施するための形態】
【００１７】
以下、本発明の実施の形態について説明する。
［発明の実施の形態１］
図１〜図６には、本発明の実施の形態１を示す。
【００１８】
この実施の形態の歯列矯正装置１０は、図１，図２に示すように、口腔１内の上歯２に設置して、前歯の出っ歯状態を矯正するものであり、前歯用マウスピース２０、奥側係止手段としてのピン部材３０、引張り手段４０、奥歯用マウスピース５０を有している。
【００１９】
このうち、前歯用マウスピース２０は、図３，図４に示すように、前歯３を覆うように形成されたプラスチック製のマウスピースであり、透明でかつ前歯３を覆って奥側に引っ張る力を加えたときに所定の形状を保持する硬度を有している。また、この前歯用マウスピース２０は、歯に沿った形状に形成されて歯を覆って保持する本体部２１と、当該本体部２１から歯茎５側に位置する係止部２５とを有している。この実施の形態の係止部２５は、本体部２１の歯茎５側の左右端部付近から突出した形状に形成されており、引張り手段４０を引っ掛けることができるようにスリット２６が形成されている。なお、この実施の形態の前歯用マウスピース２０は、左右の所謂１番〜３番の歯を覆うように構成されている。
【００２０】
また、ピン部材３０は、図１，図２に示すように、上顎の顎骨６における前歯用マウスピース２０より奥側の所定位置に埋め込まれたスクリューインプラントであり、顎骨６から左右外側に向けて突出するように配設されている。
【００２１】
また、引張り手段４０は、図１，図２に示すように、輪ゴムのような弾性力を有する部材であり、本実施の形態では、左右の前歯用マウスピース２０の係止部２５と左右のピン部材３０とにそれぞれ引っ掛けて、当該係止部２５とピン部材３０の間に介在させて互いを引き寄せる方向に付勢するものである。
【００２２】
また、本実施の形態では、図５，図６に示すように、奥歯用マウスピース５０を有している。この奥歯用マウスピース５０は、奥歯４（ここでは、左右の所謂５番〜７番の歯）を覆うように構成されており、４番の歯を空けて前歯用マウスピース２０と離間した状態で設置されるようになっている。この奥歯用マウスピース５０は、左奥歯を覆う左本体部５１と、右奥歯を覆う右本体部５２と、左本体部５１と右本体部５２とを繋ぐ位置に配置される繋ぎ部５３とを有しており、この繋ぎ部５３を介して左の本体部５１，５２が一体となるように形成されている。この奥歯用マウスピース５０は、奥歯４の状態を固定し、奥歯４が前方に出てこないように保持するものである。また、この実施の形態では、左本体部５１と右本体部５２のそれぞれ前側に、歯茎５側に突出する突出部５５が形成されている。この突出部５５により、前歯用マウスピース２０の係止部２５と左右のピン部材３０との間にそれぞれ引っ掛けられた引張り手段４０が、突出部５５の外側を通って引っ張られるようにすることができる。その結果、突出部５５が引張り手段４０に対するガードの役割を果たし、引張り手段４０が歯茎５に食い込んでしまう不具合を防止することができるようになっている。
【００２３】
次に、この実施の形態の歯列矯正装置１０の作用について説明する。
【００２４】
まず、上歯２の左右４番の歯を抜く（図１，２の×印で示した歯）。また、上歯２の前歯３の左右１番〜３番を本体部２１で覆うように前歯用マウスピース２０を設置する。また、前歯用マウスピース２０の設置位置より口腔１内の奥側の顎骨６（具体的には上顎の骨）にピン部材３０を設置する。また、上歯２の奥歯４の左右５番〜７番を左右本体部５１，５２で覆うように奥歯用マウスピース５０を設置する。そして、引張り手段４０を前歯用マウスピース２０の係止部２５とピン部材３０に引っ掛けて互いに引き寄せられるように方向に付勢させる。なお、このとき、ピン部材３０が顎骨６に設置されているため、奥側の支点は固定され、前歯用マウスピース２０が奥側に引っ張られるように付勢される。また、このとき、前歯用マウスピース２０の歯茎５側に位置する係止部２５に引張り手段４０を係止させるため、前歯３を回転させずに全体を奥側にスライド移動させるように力を加えることができる。
【００２５】
この状態で、所定期間経過観察をし、出っ歯が奥側に引っ込められたことが確認されたら、歯列矯正装置１０の各部材を取り外す。
【００２６】
以上のように、この実施の形態の歯列矯正装置１０によれば、少なくとも前歯３を覆う前歯用マウスピース２０を、ピン部材（奥側係止手段）３０と引張り手段４０を用いて口腔１内の奥側に引っ張るようになっているため、少なくとも前歯３を覆う必要最低限のマウスピースで出っ歯を矯正することができる。
【００２７】
また、本実施の形態の歯列矯正装置１０によれば、前歯用マウスピース２０が、歯を覆う本体部２１よりも歯茎５側に位置して引張り手段４０を係止する係止部２５を有しているため、確実に引張り手段４０を係止することができる。また、歯茎５側に位置する係止部２５に引張り手段４０を係止することで、歯が回転する方向に力を加えずに前歯３全体をスライド移動させることができ、出っ歯を綺麗な形で引っ張ることができる。
【００２８】
また、本実施の形態の歯列矯正装置１０によれば、奥側係止手段が、口腔１内の奥側の顎骨６に設置したピン部材３０であるため、顎骨６に設置されたピン部材３０を支点にして引張り手段４０で前歯用マウスピース２０を奥側に引っ張ることができ、安定した状態で出っ歯の矯正を行うことができる。
［発明の実施の形態２］
図７，図８には、本発明の実施の形態２を示す。なお、この実施の形態２は、以下に説明する事項以外については前記した実施の形態１と同様であるので、前記した実施の形態１と異なる事項以外は説明を省略する。
【００２９】
この実施の形態の歯列矯正装置１０は、図７，図８に示すように、ピン部材３０を有しておらず、奥歯用マウスピース１３０が奥側係止手段として機能するように構成されている。この奥歯用マウスピース１３０は、左本体部１３１と右本体部１３２と繋ぎ部１３３とを有し、さらに左本体部１３１と右本体部１３２のそれぞれ前側に、前歯用マウスピース２０の係止部２５と同様の係止部１３５が歯茎５側に位置するように突出して形成されている。そして、引張り手段４０を前歯用マウスピース２０の係止部２５と奥歯用マウスピース１３０の係止部１３５との間に引っ掛けて介在させて、互いに引き寄せる方向に付勢する。なお、奥歯用マウスピース１３０が奥歯４に設置されるため、奥歯用マウスピース１３０の固定力が強くなり、その結果、奥側の支点が固定され、前歯用マウスピース２０が奥側に引っ張られるように付勢される。また、このとき、前歯用マウスピース２０の歯茎５側に位置する係止部２５と奥歯用マウスピース１３０の歯茎５側に位置する係止部１３５とに引張り手段４０を係止させるため、前歯３を回転させずに全体を奥側にスライド移動させるように力を加えることができる。
【００３０】
以上のように、この実施の形態の歯列矯正装置１０によれば、少なくとも前歯３を覆う前歯用マウスピース２０を、奥歯用マウスピース（奥側係止手段）１３０と引張り手段４０を用いて口腔１内の奥側に引っ張るようになっているため、少なくとも前歯３を覆う必要最低限のマウスピースで出っ歯を矯正することができる。
【００３１】
また、本実施の形態の歯列矯正装置１０によれば、前歯用マウスピース２０が、歯を覆う本体部２１よりも歯茎５側に位置して引張り手段４０を係止する係止部２５を有しているため、確実に引張り手段４０を係止することができる。また、歯茎５側に位置する係止部２５に引張り手段４０を係止することで、歯が回転する方向に力を加えずに前歯３全体をスライド移動させることができ、出っ歯を綺麗な形で引っ張ることができる。
【００３２】
また、本実施の形態の歯列矯正装置１０によれば、奥側係止手段が、前歯用マウスピース２０と離間して設置される奥歯用マウスピース１３０であるため、奥歯４に設置された奥歯用マウスピース１３０を支点にして引張り手段４０で前歯用マウスピース２０を奥側に引っ張ることができ、安定した状態で出っ歯の矯正を行うことができる。
【００３３】
また、本実施の形態の歯列矯正装置１０によれば、奥歯用マウスピース１３０が左右の歯を覆う左本体部１３１、右本体部１３２とそれらを繋いで一体とする繋ぎ部１３３とを有しているため、繋ぎ部１３３を介して左右の本体部１３１，１３２が拡がったりずれたりしないようにすることができ、奥歯４の状態を変化させずに前歯３の出っ歯状態を確実に矯正することができる。
【００３４】
なお、上記各実施の形態は本発明の例示であり、本発明が上記実施の形態のみに限定されることを意味するものではないことは、いうまでもない。
【００３５】
例えば、前歯用マウスピース、奥歯用マウスピース、引張り手段、ピン部材等の素材、形状については、口腔内に入れることができるもので同様の機能を有するものであれば、適宜の素材、形状で構成されていても良い。
【００３６】
また、引張り手段を係止する構成としては、歯茎側に突出した係止部に限るものではなく、他の構成で引張り手段を係止するように成っていても良い。また、係止部の形状も突起状でなくても良く、適宜の形状に形成されていても良い。
【符号の説明】
【００３７】
１  口腔
２  上歯
３  前歯
４  奥歯
５  歯茎
６  顎骨
１０  歯列矯正装置
２０  前歯用マウスピース
２１  本体部
２５  係止部
３０  ピン部材（奥側係止手段）
４０  引張り手段
５０  奥歯用マウスピース
５１  左本体部
５２  右本体部
５３  繋ぎ部
１３０  奥歯用マウスピース（奥側係止手段）
１３１  左本体部
１３２  右本体部
１３３  繋ぎ部
１３５  係止部
【図１】
2019162368.tif 000003
【図２】
2019162368.tif 000004
【図３】
2019162368.tif 000005
【図４】
2019162368.tif 000006
【図５】
2019162368.tif 000007
【図６】
2019162368.tif 000008
【図７】
2019162368.tif 000009
【図８】
2019162368.tif 000010